(57)【要約】【課題】  払拭部材を携帯機器の収納部に取り出し可能に収納でき、携帯機器と一体型にできて、持ち運び性に優れ、携帯機器の液晶ディスプレイが汚れたときに収納部から簡単に取り出して液晶ディスプレイを拭くことができる。【解決手段】  機器本体１に収納部１１が設けられ、この収納部１１に機器本体１の液晶ディスプレイ２を拭くための払拭部材７を収納するようにし、収納部１１には引き出し４が出し入れ可能に配設され、引き出し４には板材５に布６を貼着した払拭部材７が取り出し可能に載置され、引き出し４は、板状の本体部８の先端の垂直部９に把持部１０が設けられ、後端に機器本体１の収納部１１の底部に接してスライド可能とされた下向き垂直片１２が設けられ、引き出し４の上面の後端近傍に払拭部材７の奥側への移動を阻止する上向き垂直片１３が一体に形成されている。【選択図】  図１
2008092263.tif 000002
【特許請求の範囲】
【請求項１】
機器本体に収納部が設けられ、この収納部に機器本体の液晶ディスプレイを拭くための払拭部材を収納するようにした液晶ディスプレイを有する携帯機器であって、前記収納部には引き出しが出し入れ可能に配設され、前記引き出しには板材に布を貼着した払拭部材が取り出し可能に載置されるように構成され、前記引き出しは、板状の本体部の先端の垂直部に把持部が設けられると共に後端に前記機器本体の収納部の底部に接してスライド可能とされた下向き垂直片が設けられ、更に、前記引き出しの上面の後端近傍に前記払拭部材の奥側への移動を阻止する上向き垂直片が一体に形成されており、前記引き出しを前記収納部から引き出した状態で前記払拭部材が取り出し可能とされ、前記引き出しを閉めた状態で前記払拭部材を前記収納部に収納可能としたことを特徴とする液晶ディスプレイを有する携帯機器。
【請求項２】
機器本体に収納部が設けられ、この収納部に機器本体の液晶ディスプレイを拭くための払拭部材を収納するようにした液晶ディスプレイを有する携帯機器であって、前記収納部には板材に布を貼着した払拭部材が出し入れ可能に収納され、前記収納部には外部からの誇りや塵が入ることを防ぐための開閉可能な封止部材が設けられていることを特徴とする液晶ディスプレイを有する携帯機器。
【請求項３】
前記収納部は、前記機器本体の表面に一体に設けられた薄型箱状部からなり、この薄型箱状部には、前記払拭部材を出し入れ可能に収納する開口部が形成され、この開口部の底部に板ばねが配置されるとともに前記薄型箱状部の上端に前記開口部を封止するための前記封止部材を構成する蓋が開閉可能に設けられ、前記蓋の先端に係止爪が設けられると共に前記薄型箱状部の前面に前記係止爪が係脱可能な係止孔が形成されている請求項２に記載の液晶ディスプレイを有する携帯機器。
【発明の詳細な説明】
【技術分野】
【０００１】
本発明は、機器本体に収納部が設けられ、この収納部に機器本体の液晶ディスプレイを拭くための払拭部材を収納するようにした液晶ディスプレイを有する携帯機器に関するものである。
【背景技術】
【０００２】
第１の従来技術を図７に示す。この従来のハンドクリーナは、図７に示すように、表生地１０２に所要の布帛、裏生地１０３に超極細繊維の布帛を用いて形成した袋体１０４の内部に緩衝材１０５を入れ、袋体１０４の外周部に、ハンドストラップの接続用環部材１０６を設けてハンドクリーナ１０１を形成し、このハンドクリーナ１０１は携帯電話等と一体に携行でき、裏生地１０３で画面の汚れ取りが行なえる。（例えば、特許文献１参照）。
【０００３】
ところが、これにおいては、ハンドクリーナ１０１は携帯電話等に収納されているものではなく、携帯電話等の外側に吊り下げて持ち運ぶものであるから、このハンドクリーナ１０１に空気中の塵や誇りがついて汚れてしまうという問題があった。また、このハンドクリーナ１０１は携帯電話等の外側に吊り下げて持ち運ぶものであるために、邪魔になって持ち運び性に劣っているという問題があった。
【０００４】
第２の従来技術を図８に示す。この従来の積層クリーニングパッドは、図８に示すように、ウーリ加工糸Ｓ、Ｓ・・・を綾振りしながら直管状の巻き芯に所定の糸張力下において巻き取り積層し、巻き取り積層した筒状積層体を巻き芯の軸方向に割り開いて板状積層体とし、この板状積層体を製品サイズに裁断して積層クリーニングパッド２１０を得る。積層クリーニングパッド２１０は、スポンジ相当の弾力性を有し、表面２１１には綾目模様Ｓ１を有し、裁断面２１２、２１２・・・はブラシ状を呈し、巻き層を境にして任意量を剥ぎ取り、布巾として使用することもできる。（例えば、特許文献２参照）。
【０００５】
ところが、これは、携帯機器に収納して取り出して使用するものではなかった。
【特許文献１】特開２０２−２１９０９３号公報
【特許文献２】特開２００４−９８６３８号公報
【発明の開示】
【発明が解決しようとする課題】
【０００６】
本発明は、上記従来の問題に鑑みてなされたものであって、払拭部材を携帯機器の収納部に取り出し可能に収納することができ、携帯機器と一体型とすることができて、持ち運び性に優れており、携帯機器の液晶ディスプレイが汚れたときに収納部から簡単に取り出して液晶ディスプレイを拭くことができる液晶ディスプレイを有する携帯機器を提供することを目的としている。
【課題を解決するための手段】
【０００７】
本発明は、上記課題を解決するために提案されたものであって、請求項１に記載の発明は、機器本体に収納部が設けられ、この収納部に機器本体の液晶ディスプレイを拭くための払拭部材を収納するようにした液晶ディスプレイを有する携帯機器であって、前記収納部には引き出しが出し入れ可能に配設され、前記引き出しには板材に布を貼着した払拭部材が取り出し可能に載置されるように構成され、前記引き出しは、板状の本体部の先端の垂直部に把持部が設けられると共に後端に前記機器本体の収納部の底部に接してスライド可能とされた下向き垂直片が設けられ、更に、前記引き出しの上面の後端近傍に前記払拭部材の奥側への移動を阻止する上向き垂直片が一体に形成されており、前記引き出しを前記収納部から引き出した状態で前記払拭部材が取り出し可能とされ、前記引き出しを閉めた状態で前記払拭部材を前記収納部に収納可能としたことを特徴としている。
【０００８】
請求項２に記載の発明は、機器本体に収納部が設けられ、この収納部に機器本体の液晶ディスプレイを拭くための払拭部材を収納するようにした液晶ディスプレイを有する携帯機器であって、前記収納部には板材に布を貼着した払拭部材が出し入れ可能に収納され、前記収納部には外部からの誇りや塵が入ることを防ぐための開閉可能な封止部材が設けられていることを特徴としている。
【０００９】
請求項３に記載の発明は、請求項２に記載の発明において、前記収納部は、前記機器本体の表面に一体に設けられた薄型箱状部からなり、この薄型箱状部には、前記払拭部材を出し入れ可能に収納する開口部が形成され、この開口部の底部に板ばねが配置されるとともに前記薄型箱状部の上端に前記開口部を封止するための前記封止部材を構成する蓋が開閉可能に設けられ、前記蓋の先端に係止爪が設けられると共に前記薄型箱状部の前面に前記係止爪が係脱可能な係止孔が形成されているものである。
【発明の効果】
【００１０】
請求項１に記載の発明によれば、板材に布を貼着した払拭部材を引き出しに取り出し可能に載置するようにしたので、引き出しを引き出すだけで払拭部材を取り出せるから、収納部から簡単に払拭部材を取り出して機器本体の液晶ディスプレイを拭くことができる。また、使用しない場合には、引き出しに払拭部材を載置してこの引き出しを機器本体の収納部に収納できるから、払拭部材に塵や誇りが付くことを防ぐことができる。また、収納部を機器本体と一体型とすることができて、持ち運び性に優れている。更に、引き出しの上面の後端近傍に上向き垂直片が設けられているから、引き出しを引き出すときに、この上向き垂直片に払拭部材の後端が当接するから、引き出しを引き出しても払拭部材が収納部に残留することがなく、払拭部材を確実に取り出すことができる。また、払拭部材が板材に布を貼着したものであるから、この払拭部材を収納部に収納し易いと共に取り出し易く、更に、機器本体の液晶ディスプレイをこの払拭部材で拭き易い利点がある。
【００１１】
請求項２に記載の発明によれば、機器本体の収納部に板材に布を貼着した払拭部材を出し入れ可能に収納するようにしたから、この払拭部材を収納部から簡単に取り出して機器本体の液晶ディスプレイを拭くことができる。また、収納部が機器本体と一体型となっているから、持ち運び性に優れている。更に、払拭部材を収納部に収納したときに、封止部材によって収納部を封止できるから、払拭部材に外部の誇りや塵が付着することを防ぐことができる。また、払拭部材が板材に布を貼着したものであるから、この払拭部材を収納部に収納し易いと共に取り出し易く、更に、機器本体の液晶ディスプレイをこの払拭部材で拭き易い利点がある。
【００１２】
請求項３に記載の発明によれば、収納部が機器本体の表面に一体に設けられた薄型箱状部からなるものであるから、機器本体内の基板や電子部品に影響を与えることがない。薄型箱状部に設けた開口部の底部に板ばねが配置されているから、蓋を開けたときに、この板ばねによって払拭部材の端部が飛び出るので、この払拭部材を簡単に取り出すことができる。更に、開口部に払拭部材を収納した後に、蓋によって開口部が封止されるから、外部の塵や誇りが開口部内に侵入することを防ぐことができて、払拭部材にこの塵や誇りが付着することを防ぐことができる。また、蓋の先端に設けた係止爪を薄型箱状部の前面の係止孔に係入することによって、蓋が不用意に開くことを防ぐことができる。更に、蓋を開ける場合は、蓋を持ち上げることによって係止爪と係止孔との係止状態を解除することができるから、開口部内の払拭部材を取り出すときに、蓋を簡単に開けて払拭部材を取り出すことができる。
【発明を実施するための最良の形態】
【００１３】
以下、本発明の液晶ディスプレイを有する携帯機器について、図を参照しつつ説明する。
【００１４】
図１は本発明の第１実施形態の液晶ディスプレイを有する携帯機器の一例である携帯電話における収納部の引き出しを開けた状態の斜視図、図２は図１の要部を示す縦断面図、図３は携帯電話における収納部の引き出しを閉めた状態の斜視図、図４は図３の要部の縦断面図である。
【００１５】
この第１実施形態の液晶ディスプレイを有する携帯機器は携帯電話であり、図１に示すように機器本体１が、複数のボタンが設けられた操作部３Ａと液晶ディスプレイ２を有する表示部３Ｂとからなり、機器本体１の操作部３Ａの側部に引き出し４が出し入れ可能に配設されている。この引き出し４は図２にも示すように、板材５の両面に布６、６が貼着された払拭部材７が取り出し可能に載置されるようになっている。引き出し４は、板状の本体部８の先端の垂直部９に把持部１０が設けられていると共に、図２にも示すように、引き出し４の後端に機器本体１の操作部３Ａの収納部１１の底部に接してスライド可能とされた下向き垂直片１２が設けられ、更に、引き出し４の上面の後端近傍に払拭部材７の奥側への移動を阻止する上向き垂直片１３が一体に形成されている。
【００１６】
引き出し４の把持部１０を掴んで引き出し４を引き出すと、引き出し４に載置された払拭部材７を取り出し、この払拭部材７の布６で指紋等で汚れた表示部３の液晶ディスプレイ２を拭くことができる。また、図３、図４に示すように、引き出し４を閉めた状態で払拭部材７を収納部１１に収納できるようになっている。
【００１７】
従って、この第１実施形態によれば、板材５に布６、６を貼着した払拭部材７を引き出し４に取り出し可能に載置するようにしたので、引き出し４を引き出すだけで払拭部材７を取り出せるから、収納部１１から簡単に払拭部材７を取り出して表示部３の液晶ディスプレイ２を拭くことができる。また、使用しない場合には、引き出し４に払拭部材７を載置してこの引き出し４を機器本体１の操作部３Ａの収納部１１に収納できるから、払拭部材７に塵や誇りが付くことを防ぐことができる。また、収納部１１を機器本体１の操作部３Ａと一体型とすることができて、持ち運び性に優れている。更に、引き出し４の上面の後端近傍に上向き垂直片１３が設けられているから、引き出し４を引き出すときに、この上向き垂直片１３に払拭部材７の後端が当接するから、引き出し４を引き出しても払拭部材７が収納部１１に残留することがなく、払拭部材７を確実に取り出すことができる。また、払拭部材７が板材５に布６、６を貼着したものであるから、この払拭部材７を収納部１１に収納し易いと共に取り出し易く、更に、表示部３Ｂの液晶ディスプレイ２をこの払拭部材７で拭き易い利点がある。
【００１８】
図５は第２実施形態の液晶ディスプレイを有する携帯機器の主要部を示す部分斜視図、図６は図５の部分縦断面図である。
【００１９】
この第２実施形態の液晶ディスプレイを有する携帯機器は、携帯電話等からなり、図５、図６に示すように、機器本体１の表面に薄型箱状部１４からなる収納部に、払拭部材７を出し入れ可能に収納する開口部１５が形成され、この開口部１５の底部に板ばね１６が配置されている。更に、薄型箱状部１４の上端に開口部１５を封止するための蓋１７が開閉可能に枢着されている。蓋１７の先端の折曲部１８には係止爪１９が設けられると共に薄型箱状部１４の前面に係止爪１９が係脱可能な係止孔２０が形成されている。
【００２０】
払拭部材７を薄型箱状部１４からなる収納部に収納するには、蓋１７の係止爪１９と薄型箱状部１４の前面の係止孔２０との係止状態を解除して、蓋１７を開けてから開口部１５に払拭部材７を入れる。この状態で蓋１７を閉めると開口部１５内の板ばね１６を払拭部材７の下端で押して払拭部材７を開口部１５内に収めて蓋１７の係止爪１９を薄型箱状部１４の前面の係止孔２０に係入係止して蓋１７を閉めた状態で固定する。また、蓋１７を開けると板ばね１６の付勢力で払拭部材７の上端が開口部１５の上端より飛び出すので、この部分を掴んで払拭部材７を取り出し、機器本体１に設けられた液晶ディスプレイ（図示略）を拭くようにして使用する。
【００２１】
従って、この第２実施形態によれば、収納部が機器本体１の表面に一体に設けられた薄型箱状部１４からなるものであるから、機器本体１内の基板や電子部品に影響を与えることがない。薄型箱状部１４に設けた開口部１５の底部に板ばね１６が配置されているから、蓋１７を開けたときに、この板ばね１６によって払拭部材７の端部が飛び出るので、この払拭部材７を簡単に取り出すことができる。更に、開口部１５に払拭部材７を収納した後に、蓋１７によって開口部１５が封止されるから、外部の塵や誇りが開口部１５内に侵入することを防ぐことができて、払拭部材７にこの塵や誇りが付着することを防ぐことができる。また、蓋１７の先端の折曲部１８に設けた係止爪１９を薄型箱状部１４の前面の係止孔２０に係入することによって、蓋１７が不用意に開くことを防ぐことができる。更に、蓋１７を開ける場合は、蓋１７を持ち上げることによって係止爪１９と係止孔２０との係止状態を解除することができるから、開口部１５内の払拭部材７を取り出すときに、蓋１７を簡単に開けて払拭部材を取り出すことができる。
【図面の簡単な説明】
【００２２】
【図１】本発明の第１実施形態の液晶ディスプレイを有する携帯機器の一例である携帯電話における収納部の引き出しを開けた状態の斜視図である。
【図２】図１の要部を示す縦断面図である。
【図３】携帯電話における収納部の引き出しを閉めた状態の斜視図である。
【図４】図３の要部の縦断面図である。
【図５】第２実施形態の液晶ディスプレイを有する携帯機器の主要部を示す部分斜視図である。
【図６】図５の部分縦断面図である。
【図７】従来のハンドクリーナの一部切り欠き正面図である。
【図８】従来の積層クリーニングパッドの斜視図である。
【符号の説明】
【００２３】
１        機器本体
２        液晶ディスプレイ
３Ａ      操作部
３Ｂ      表示部
４        引き出し
５        板材
６        布
７        払拭部材
８        本体部
９        垂直部
１０      把持部
１１      収納部
１２      下向き垂直片
１３      上向き垂直片
１４      薄型箱状部（収納部）
１５      開口部
１６      板ばね
１７      蓋
１８      折曲部
１９      係止爪
２０      係止孔
【図１】
2008092263.tif 000003
【図２】
2008092263.tif 000004
【図３】
2008092263.tif 000005
【図４】
2008092263.tif 000006
【図５】
2008092263.tif 000007
【図６】
2008092263.tif 000008
【図７】
2008092263.tif 000009
【図８】
2008092263.tif 000010